【手続補正書】
【提出日】平成30年3月1日(2018.3.1)
【手続補正１】
【補正対象書類名】特許請求の範囲
【補正対象項目名】全文
【補正方法】変更
【補正の内容】
【特許請求の範囲】
【請求項１】
第１のステーションにおいて、ワイヤレスネットワークのアクセスポイントからのブロードキャストされた情報を検出するために、前記ワイヤレスネットワークの専用チャネルをスキャンすることと、
前記ブロードキャストされた情報から特定の識別可能なアクセスポイントに関する識別情報を得ること、前記ブロードキャストされた情報は、近隣報告、アクセスポイント能力情報、またはそれらの組合せを含み、ここにおいて、前記アクセスポイント能力情報は、電気電子技術者協会（ＩＥＥＥ）８０２．１１ａｉプロトコルに従って高速初期リンクセットアップ（ＦＩＬＳ）表示要素で搬送される、と
を備える、方法。
【請求項２】
前記近隣報告は、前記ＩＥＥＥ８０２．１１ａｉプロトコルによる低減された近隣報告を含む、
請求項１に記載の方法。
【請求項３】
前記アクセスポイント能力情報は、前記特定の識別可能なアクセスポイントと関連したアクセスポイントセキュリティ情報と、前記特定の識別可能なアクセスポイントの上位レイヤ能力を示す上位レイヤ能力情報とを含む、
請求項１に記載の方法。
【請求項４】
前記近隣報告は、前記専用チャネルを介して前記アクセスポイントからブロードキャストされたビーコンフレーム、前記専用チャネルを介して前記アクセスポイントからブロードキャストされたＦＩＬＳ発見フレーム、または前記アクセスポイントからのプローブ応答のうちの１つに含まれる、
請求項１に記載の方法。
【請求項５】
前記専用チャネルは、非重複チャネルのセットにおけるチャネルを備える、
請求項１に記載の方法。
【請求項６】
前記専用チャネルは、前記ワイヤレスネットワークの多数のアクセスポイントによって共有される共通チャネルを備える、
請求項１に記載の方法。
【請求項７】
前記ブロードキャストされた情報は、前記ワイヤレスネットワークにおける隣接アクセスポイントのリストを含む、
請求項１に記載の方法。
【請求項８】
前記ブロードキャストされた情報に基づいて前記特定の識別可能なアクセスポイントとの通信リンクを確立することをさらに含む、
請求項１に記載の方法。
【請求項９】
前記特定の識別可能なアクセスポイントとの前記通信リンクを前記確立することは、
前記ブロードキャストされた情報に基づいて前記特定の識別可能なアクセスポイントのプライマリ動作チャネルを決定することと、
前記プライマリ動作チャネルを介して前記特定の識別可能なアクセスポイントに認証フレームを送信することと、
前記特定の識別可能なアクセスポイントからの肯定応答フレームを受信することと
を備える、請求項８に記載の方法。
【請求項１０】
前記第１のステーションにおいて、前記ブロードキャストされた情報を検出することなく特定の時間期間が経過した後、前記専用チャネルを介してプローブ要求をブロードキャストすることをさらに備える、
請求項１に記載の方法。
【請求項１１】
前記専用チャネルを介して前記アクセスポイントからのプローブ応答を受信することをさらに備え、前記プローブ応答は、前記ブロードキャストされた情報を含む、
請求項１に記載の方法。
【請求項１２】
ワイヤレスネットワークのアクセスポイントからのブロードキャストされた情報を検出するために、前記ワイヤレスネットワークの専用チャネルをスキャンするための手段と、
特定の識別可能なアクセスポイントに関する識別情報を前記ブロードキャストされた情報から得るための手段、前記ブロードキャストされた情報は、近隣報告、アクセスポイント能力情報、またはそれらの組合せを含み、ここにおいて、前記アクセスポイント能力情報は、電気電子技術者協会（ＩＥＥＥ）８０２．１１ａｉプロトコルに従って高速初期リンクセットアップ（ＦＩＬＳ）表示要素で搬送される、と
を備える、装置。
【請求項１３】
前記近隣報告は、前記ＩＥＥＥ８０２．１１ａｉプロトコルによる低減された近隣報告を含む、
請求項１２に記載の装置。
【請求項１４】
前記専用チャネルは、非重複チャネルのセットにおけるチャネルを備える、
請求項１２に記載の装置。
【請求項１５】
実行されると、コンピュータに、請求項１乃至１１のいずれか１項に従う方法を実行させる命令を備えるコンピュータプログラム。
【手続補正２】
【補正対象書類名】明細書
【補正対象項目名】００８９
【補正方法】変更
【補正の内容】
【００８９】
[0095]開示された技法の先の説明は、開示された技法を当業者が行うかまたは使用できるようにするために提供されている。これらの技法への様々な変更は、当業者には容易に明らかであり、本明細書で定義された原理は、本開示の範囲から逸脱することなしに他の技法に適用され得る。したがって、本開示は、本明細書に示された実施形態に限定されるものではなく、以下の特許請求の範囲によって定義されるような原理および新規な特徴と矛盾しない可能な最大の範囲を与えられるべきである。
以下に、本願出願の当初の特許請求の範囲に記載された発明を付記する。
［Ｃ１］
第１のステーションにおいて、ワイヤレスネットワークのアクセスポイントからのブロードキャストされた情報を検出するために、前記ワイヤレスネットワークの専用チャネルをスキャンすることと、
前記ブロードキャストされた情報から特定の識別可能なアクセスポイントに関する識別情報を得ること、前記ブロードキャストされた情報は、近隣報告、アクセスポイント能力情報、またはそれらの組合せを含み、ここにおいて、前記アクセスポイント能力情報は、電気電子技術者協会（ＩＥＥＥ）８０２．１１ａｉプロトコルに従って高速初期リンクセットアップ（ＦＩＬＳ）表示要素で搬送される、と
を備える、方法。
［Ｃ２］
前記近隣報告は、前記ＩＥＥＥ８０２．１１ａｉプロトコルによる低減された近隣報告を含む、
［Ｃ１］に記載の方法。
［Ｃ３］
前記アクセスポイント能力情報は、前記特定の識別可能なアクセスポイントと関連したアクセスポイントセキュリティ情報と、前記特定の識別可能なアクセスポイントの上位レイヤ能力を示す上位レイヤ能力情報とを含む、
［Ｃ１］に記載の方法。
［Ｃ４］
前記近隣報告は、前記専用チャネルを介して前記アクセスポイントからブロードキャストされたビーコンフレーム、前記専用チャネルを介して前記アクセスポイントからブロードキャストされたＦＩＬＳ発見フレーム、または前記アクセスポイントからのプローブ応答のうちの１つに含まれる、
［Ｃ１］に記載の方法。
［Ｃ５］
前記専用チャネルは、非重複チャネルのセットにおけるチャネルを備える、
［Ｃ１］に記載の方法。
［Ｃ６］
前記専用チャネルは、前記ワイヤレスネットワークの多数のアクセスポイントによって共有される共通チャネルを備える、
［Ｃ１］に記載の方法。
［Ｃ７］
前記アクセスポイントは、ＩＥＥＥ８０２．１１ａｉアクセスポイントを備える、
［Ｃ１］に記載の方法。
［Ｃ８］
前記ＩＥＥＥ８０２．１１ａｉアクセスポイントは、デュアルバンドアクセスポイントを備える、
［Ｃ７］に記載の方法。
［Ｃ９］
前記ＩＥＥＥ８０２．１１ａｉアクセスポイントは、シングルバンドアクセスポイントを備える、
［Ｃ７］に記載の方法。
［Ｃ１０］
前記ワイヤレスネットワークは、ＩＥＥＥ８０２．１１ワイヤレスネットワークを備える、
［Ｃ１］に記載の方法。
［Ｃ１１］
前記ブロードキャストされた情報は、前記ワイヤレスネットワークにおける隣接アクセスポイントのリストを含む、
［Ｃ１］に記載の方法。
［Ｃ１２］
前記ブロードキャストされた情報に基づいて前記特定の識別可能なアクセスポイントとの通信リンクを確立することをさらに含む、
［Ｃ１］に記載の方法。
［Ｃ１３］
前記特定の識別可能なアクセスポイントとの前記通信リンクを前記確立することは、
前記ブロードキャストされた情報に基づいて前記特定の識別可能なアクセスポイントのプライマリ動作チャネルを決定することと、
前記プライマリ動作チャネルを介して前記特定の識別可能なアクセスポイントに認証フレームを送信することと、
前記特定の識別可能なアクセスポイントからの肯定応答フレームを受信することと
を備える、［Ｃ１２］に記載の方法。
［Ｃ１４］
前記第１のステーションにおいて、前記ブロードキャストされた情報を検出することなく特定の時間期間が経過した後、前記専用チャネルを介してプローブ要求をブロードキャストすることをさらに備える、
［Ｃ１］に記載の方法。
［Ｃ１５］
前記専用チャネルを介して前記アクセスポイントからのプローブ応答を受信することをさらに備え、前記プローブ応答は、前記ブロードキャストされた情報を含む、
［Ｃ１４］に記載の方法。
［Ｃ１６］
プロセッサと、
前記プロセッサに結合されたメモリと
を備え、前記メモリは、
ワイヤレスネットワークのアクセスポイントからのブロードキャストされた情報を検出するために前記ワイヤレスネットワークの専用チャネルのスキャンを第１のステーションにおいて開始することと、
前記ブロードキャストされた情報から特定の識別可能なアクセスポイントに関する識別情報を得ること、前記ブロードキャストされた情報は、近隣報告、アクセスポイント能力情報、またはそれらの組合せを含み、ここにおいて、前記アクセスポイント能力情報は、電気電子技術者協会（ＩＥＥＥ）８０２．１１ａｉプロトコルに従って高速初期リンクセットアップ（ＦＩＬＳ）表示要素で搬送される、と
を備える動作を実行するために前記プロセッサによって実行可能である命令を記憶する、
装置。
［Ｃ１７］
前記近隣報告は、前記ＩＥＥＥ８０２．１１ａｉプロトコルによる低減された近隣報告を含む、
［Ｃ１６］に記載の装置。
［Ｃ１８］
前記アクセスポイント能力情報は、前記特定の識別可能なアクセスポイントと関連したアクセスポイントセキュリティ情報と、前記特定の識別可能なアクセスポイントの上位レイヤ能力を示す上位レイヤ能力情報とを含む、
［Ｃ１６］に記載の装置。
［Ｃ１９］
前記近隣報告は、前記専用チャネルを介して前記アクセスポイントからブロードキャストされたビーコンフレーム、前記専用チャネルを介して前記アクセスポイントからブロードキャストされたＦＩＬＳ発見フレーム、または前記アクセスポイントからのプローブ応答のうちの１つに含まれる、
［Ｃ１６］に記載の装置。
［Ｃ２０］
前記専用チャネルは、非重複チャネルのセットにおけるチャネルを備える、
［Ｃ１６］に記載の装置。
［Ｃ２１］
プロセッサによって実行されたとき、前記プロセッサに、
第１のステーションにおいて、ワイヤレスネットワークのアクセスポイントからのブロードキャストされた情報を検出するために、前記ワイヤレスネットワークの専用チャネルのスキャンを開始することと、
特定の識別可能なアクセスポイントに関する識別情報を前記ブロードキャストされた情報から得すること、前記ブロードキャストされた情報は、近隣報告、アクセスポイント能力情報、またはそれらの組合せを含み、ここにおいて、前記アクセスポイント能力情報は、電気電子技術者協会（ＩＥＥＥ）８０２．１１ａｉプロトコルに従って高速初期リンクセットアップ（ＦＩＬＳ）表示要素で搬送される、と
を行わせる命令を備える、非一時的コンピュータ可読媒体。
［Ｃ２２］
前記近隣報告は、前記ＩＥＥＥ８０２．１１ａｉプロトコルによる低減された近隣報告を含む、
［Ｃ２１］に記載の非一時的コンピュータ可読媒体。
［Ｃ２３］
前記アクセスポイント能力情報は、前記特定の識別可能なアクセスポイントと関連したアクセスポイントセキュリティ情報と、前記特定の識別可能なアクセスポイントの上位レイヤ能力を示す上位レイヤ能力情報とを含む、
［Ｃ２１］に記載の非一時的コンピュータ可読媒体。
［Ｃ２４］
ワイヤレスネットワークのアクセスポイントからのブロードキャストされた情報を検出するために、前記ワイヤレスネットワークの専用チャネルをスキャンするための手段と、
特定の識別可能なアクセスポイントに関する識別情報を前記ブロードキャストされた情報から得るための手段、前記ブロードキャストされた情報は、近隣報告、アクセスポイント能力情報、またはそれらの組合せを含み、ここにおいて、前記アクセスポイント能力情報は、電気電子技術者協会（ＩＥＥＥ）８０２．１１ａｉプロトコルに従って高速初期リンクセットアップ（ＦＩＬＳ）表示要素で搬送される、と
を備える、装置。
［Ｃ２５］
前記近隣報告は、前記ＩＥＥＥ８０２．１１ａｉプロトコルによる低減された近隣報告を含む、
［Ｃ２４］に記載の装置。
［Ｃ２６］
前記専用チャネルは、非重複チャネルのセットにおけるチャネルを備える、
［Ｃ２４］に記載の装置。
［Ｃ２７］
前記専用チャネルは、前記ワイヤレスネットワークの多数のアクセスポイントによって共有される共通チャネルを備える、
［Ｃ２４］に記載の装置。